(57)【要約】【課題】ユーザーの利便性を高めることのできる画像形成装置を提供する。【解決手段】複数台のＭＦＰ３００Ａ，３００Ｂを含む画像処理システムにおいて、端末装置１００が、ユーザーから、ＭＦＰ３００Ｂに対する接続要求を受け付けたとする（Ｓ１）。ＭＦＰ３００Ｂが端末装置１００からの遠隔操作が可能でない場合に（Ｓ４）、端末装置１００は、ＭＦＰ３００Ｂとは異なるＭＦＰ３００Ａに対して接続を要求し（Ｓ５）、ＭＦＰ３００Ａから操作画面を表示するための表示情報の転送を受ける（Ｓ７，Ｓ１３）。端末装置１００は、操作画面に対するユーザー操作を表わす操作情報をＭＦＰ３００Ａに転送する（Ｓ１０，Ｓ１６）。当該操作情報に基づいた処理がＭＦＰ３００Ｂにおける当該ユーザーの印刷ジョブの処理である場合に、ＭＦＰ３００Ａは、該印刷ジョブをＭＦＰ３００Ｂに転送する（Ｓ１８）。【選択図】図４
2016091197.tif 000002
【特許請求の範囲】
【請求項１】
画像形成装置であって、
前記画像形成装置の操作画面を表示するための表示情報を表示装置に転送するための転送手段と、
前記表示情報に基づいて前記表示装置に表示された操作画面に対する、ユーザーの操作を表わす操作情報の入力を受け付けるための入力手段と、
前記ユーザーに関連付けられている１つ以上の印刷ジョブにアクセスするためのアクセス手段と、
前記ユーザーに関連付けられている印刷ジョブを特定するための情報を当該印刷ジョブから取得するための取得手段と、
前記特定するための情報を前記表示装置に表示するための表示制御手段と、
前記操作情報に基づいて、前記ユーザーに関連付けられている１つ以上の印刷ジョブから、処理対象とする印刷ジョブの指定を受け付けるための指定手段と、
前記処理対象として指定された印刷ジョブを処理する処理装置を特定するための特定手段と、
前記処理装置が前記画像形成装置とは異なる他の画像形成装置である場合に、前記他の画像形成装置に対して前記印刷ジョブを発行するための発行手段とを備える、画像形成装置。
【請求項２】
前記表示装置は端末装置に搭載されており、
前記特定手段は、前記操作情報に基づいて、前記ユーザーによって指定された前記印刷ジョブの処理装置を表わす情報を特定する、請求項１に記載の画像形成装置。
【請求項３】
前記表示装置は、端末装置に搭載された表示装置と、当該画像形成装置に搭載された表示装置とを含み、
前記特定手段は、当該画像形成装置に搭載された表示装置が前記操作画面を表示している場合に、前記処理装置を前記画像形成装置と特定する、請求項１に記載の画像形成装置。
【請求項４】
複数の表示装置から前記処理対象とする印刷ジョブの指定を受け付けた場合に、前記画像形成装置を処理装置とする印刷ジョブの指定を受け付けて処理を実行することを、前記他の画像形成装置を処理装置とする印刷ジョブの指定を受け付けて前記他の画像形成装置を処理装置とする印刷ジョブを前記他の画像形成装置に転送することよりも優先する、請求項１〜３のいずれかに記載の画像形成装置。
【請求項５】
複数の表示装置から前記処理対象とする印刷ジョブの指定を受け付けた場合に、前記画像形成装置を処理装置とする印刷ジョブの指定を受け付けて処理を実行することを、前記他の画像形成装置を処理装置とする印刷ジョブの指定を受け付けて前記他の画像形成装置を処理装置とする印刷ジョブを前記他の画像形成装置に転送することと並行して行なう、請求項１〜３のいずれかに記載の画像形成装置。
【請求項６】
画像形成装置を遠隔操作可能な端末装置であって、
遠隔操作の対象とする画像形成装置の指定を受け付けるための指定手段と、
画像形成装置に対して、操作画面を表示するための表示情報を要求するための要求手段と、
前記表示情報に基づいて表示した操作画面に対するユーザー操作を表わす操作情報を、前記表示情報を当該端末装置に渡した画像形成装置に対して転送するための転送手段と、
前記指定手段で指定された画像形成装置が遠隔操作可能な画像形成装置であるか否かを判断するための判断手段とを備え、
前記指定された画像形成装置が遠隔操作可能な画像形成装置でない場合に、前記要求手段は、前記指定された画像形成装置とは異なる、予め記憶している他の画像形成装置に対して前記表示情報を要求し、前記転送手段は、前記操作情報を、前記指定された画像形成装置を特定する情報と共に前記他の画像形成装置に転送する、端末装置。
【請求項７】
前記判断手段は、前記指定された画像形成装置の機能と処理状況との少なくとも一方に応じて、前記画像形成装置が遠隔操作可能であるか否かを判断する、請求項６に記載の端末装置。
【請求項８】
複数台の画像形成装置を含む画像処理システムでの印刷ジョブの処理方法であって、
前記複数台の画像形成装置は、それぞれ、端末装置と通信可能であって、
前記端末装置が、ユーザーから、前記複数台の画像形成装置のうちの第１の画像形成装置に対する接続要求を受け付けるステップと、
前記第１の画像形成装置が前記端末装置からの遠隔操作が可能でない場合に、前記端末装置が、前記第１の画像形成装置とは異なる第２の画像形成装置に対して接続を要求するステップと、
前記端末装置からの要求に応じて、前記第２の画像形成装置の操作画面を表示するための表示情報を、前記第２の画像形成装置から前記端末装置に転送するステップと、
前記表示情報に基づいて前記端末装置に表示された操作画面に対するユーザー操作を表わす操作情報を、前記端末装置から前記第２の画像形成装置に転送するステップと、
前記操作情報に基づいた処理を前記第２の画像形成装置で実行するステップとを備え、
前記操作情報に基づいた処理が前記第１の画像形成装置における前記ユーザーに関連付けられた印刷ジョブの処理である場合に、前記処理を前記第２の画像形成装置で実行するステップは、前記印刷ジョブを、前記第２の画像形成装置から前記第１の画像形成装置に転送することを含む、処理方法。
【請求項９】
画像形成装置に搭載されるコンピューターの制御プログラムであって、
前記制御プログラムは前記コンピューターに、
前記画像形成装置の操作画面を表示するための表示情報を表示装置に転送するステップと、
前記表示情報に基づいて前記表示装置に表示された操作画面に対する、ユーザーの操作を表わす操作情報の入力を受け付けるステップと、
前記ユーザーに関連付けられている１つ以上の印刷ジョブにアクセスするステップと、
前記ユーザーに関連付けられている印刷ジョブを特定するための情報を当該印刷ジョブから取得するステップと、
前記特定するための情報を前記表示装置に表示するステップと、
前記操作情報に基づいて、前記ユーザーに関連付けられている１つ以上の印刷ジョブから、処理対象とする印刷ジョブの指定を受け付けるステップと、
前記処理対象として指定された印刷ジョブを処理する処理装置を特定するステップと、
前記処理装置が前記画像形成装置とは異なる他の画像形成装置である場合に、前記他の画像形成装置に対して前記印刷ジョブを発行するステップとを実行させる、制御プログラム。
【請求項１０】
画像形成装置と通信可能な端末装置の制御プログラムであって、
前記制御プログラムは前記端末装置に、
ユーザーから、第１の画像形成装置に対する接続要求を受け付けるステップと、
前記第１の画像形成装置が前記端末装置からの遠隔操作が可能であるか否かを判断するステップと、
前記第１の画像形成装置が前記端末装置からの遠隔操作が可能でない場合に、前記第１の画像形成装置とは異なる第２の画像形成装置に対して接続を要求するステップと、
前記端末装置からの要求に応じて、前記第２の画像形成装置から、前記第２の画像形成装置の操作画面を表示するための表示情報の入力を受け付けるステップと、
前記表示情報に基づいて前記端末装置に表示された操作画面に対するユーザー操作を表わす操作情報を、前記第２の画像形成装置に転送するステップとを実行させる、制御プログラム。
【発明の詳細な説明】
【技術分野】
【０００１】
この開示は画像形成装置、端末装置、処理方法、および制御プログラムに関し、特に、他の画像形成装置と連携してジョブ処理を実行する画像形成装置、端末装置、そのジョブの処理方法、および該画像形成装置ならびに端末装置の制御プログラムに関する。
【背景技術】
【０００２】
複数台の、ＭＦＰ（Multi-Functional  Peripheral）などの画像形成装置で、画像処理システムが構成されることがある。該システムにおいては、いずれかの画像形成装置、または該システムに含まれるサーバーにジョブが格納される。ユーザーは、ＰＣ（パーソナルコンピューター）などの処理装置から該システムに対してジョブを発行した後に、いずれかの画像形成装置にログインし、該ジョブの処理を指示することができる。このようなジョブの処理方法は、ユビキタスプリントなどとも呼ばれる。
【０００３】
ユビキタスプリントを実現するためには、ユーザーは、上記システムに含まれる画像形成装置に対してログイン操作を行なう。該画像形成装置においてログイン成功の場合に、該画像形成装置は、システム中の当該ユーザーの発行したジョブを格納している装置から、ジョブの情報を取得する。そして、ログインを受けた画像形成装置は、当該ユーザーの発行したジョブのうちの指定されたジョブを、格納している装置から取得して、処理する。
【先行技術文献】
【特許文献】
【０００４】
【特許文献１】特開２０１３−１９１０００号公報
【特許文献２】特開２００３−２０９６５９号公報
【発明の概要】
【発明が解決しようとする課題】
【０００５】
ところが、該システムに、ログイン処理を実行する機能を有さない画像形成装置が含まれる場合がある。また、該システムに、処理負荷が高くてさらなるジョブ処理ができない画像形成装置が含まれる場合もある。そういった場合に、ユーザーは、その画像形成装置にログインしてジョブ処理を指示することができないという課題がある。
【０００６】
この課題に対して、たとえば特開２０１３−１９１０００号公報（特許文献１）は、認証機能を有していないプリンターが他の装置に機能を代行する技術を開示している。しかしながら、認証サーバーを有しないシステムの場合には、この技術を利用することができない。
【０００７】
また、特開２００３−２０９６５９号公報（特許文献２）は、他の装置から遠隔操作を可能とする技術を開示している。しかしながら、特許文献２の技術では、他の装置に対して自装置のシステム情報を転送し、他の装置で当該システム情報が用いられている。そのため、上記のようなログイン処理やジョブ処理ができない画像形成装置の場合には、特許文献２の技術を利用しても、他の装置で当該画像形成装置を遠隔操作ができない。
【０００８】
本開示は、ユーザーの利便性を高めることのできる画像形成装置、端末装置、処理方法、および制御プログラムを提供することを目的としている。
【課題を解決するための手段】
【０００９】
ある実施の形態に従うと、画像形成装置は、当該画像形成装置の操作画面を表示するための表示情報を表示装置に転送するための転送手段と、表示情報に基づいて表示装置に表示された操作画面に対する、ユーザーの操作を表わす操作情報の入力を受け付けるための入力手段と、ユーザーに関連付けられている１つ以上の印刷ジョブにアクセスするためのアクセス手段と、ユーザーに関連付けられている印刷ジョブを特定するための情報を当該印刷ジョブから取得するための取得手段と、特定するための情報を表示装置に表示するための表示制御手段と、操作情報に基づいて、ユーザーに関連付けられている１つ以上の印刷ジョブから、処理対象とする印刷ジョブの指定を受け付けるための指定手段と、処理対象として指定された印刷ジョブを処理する処理装置を特定するための特定手段と、処理装置が画像形成装置とは異なる他の画像形成装置である場合に、他の画像形成装置に対して印刷ジョブを発行するための発行手段とを備える。
【００１０】
好ましくは、表示装置は端末装置に搭載されている。特定手段は、操作情報に基づいて、ユーザーによって指定された印刷ジョブの処理装置を表わす情報を特定する。
【００１１】
好ましくは、表示装置は、端末装置に搭載された表示装置と、当該画像形成装置に搭載された表示装置とを含む。特定手段は、当該画像形成装置に搭載された表示装置が操作画面を表示している場合に、処理装置を画像形成装置と特定する。
【００１２】
好ましくは、画像形成装置は、複数の表示装置から処理対象とする印刷ジョブの指定を受け付けた場合に、画像形成装置を処理装置とする印刷ジョブの指定を受け付けて処理を実行することを、他の画像形成装置を処理装置とする印刷ジョブの指定を受け付けて他の画像形成装置を処理装置とする印刷ジョブを当該他の画像形成装置に転送することよりも優先する。
【００１３】
好ましくは、画像形成装置は、複数の表示装置から処理対象とする印刷ジョブの指定を受け付けた場合に、画像形成装置を処理装置とする印刷ジョブの指定を受け付けて処理を実行することを、他の画像形成装置を処理装置とする印刷ジョブの指定を受け付けて他の画像形成装置を処理装置とする印刷ジョブを他の画像形成装置に転送することと並行して行なう。
【００１４】
他の実施の形態に従うと、端末装置は、画像形成装置を遠隔操作可能である。この端末装置は、遠隔操作の対象とする画像形成装置の指定を受け付けるための指定手段と、画像形成装置に対して、操作画面を表示するための表示情報を要求するための要求手段と、表示情報に基づいて表示した操作画面に対するユーザー操作を表わす操作情報を、表示情報を当該端末装置に渡した画像形成装置に対して転送するための転送手段と、指定手段で指定された画像形成装置が遠隔操作可能な画像形成装置であるか否かを判断するための判断手段とを備える。指定された画像形成装置が遠隔操作可能な画像形成装置でない場合に、要求手段は、指定された画像形成装置とは異なる、予め記憶している他の画像形成装置に対して表示情報を要求する。転送手段は、操作情報を、指定された画像形成装置を特定する情報と共に上記他の画像形成装置に転送する。
【００１５】
好ましくは、判断手段は、指定された画像形成装置の機能と処理状況との少なくとも一方に応じて、画像形成装置が遠隔操作可能であるか否かを判断する。
【００１６】
他の実施の形態に従うと、処理方法は、複数台の画像形成装置を含む画像処理システムでの印刷ジョブの処理方法である。複数台の画像形成装置は、それぞれ、端末装置と通信可能である。この処理方法は、端末装置が、ユーザーから、複数台の画像形成装置のうちの第１の画像形成装置に対する接続要求を受け付けるステップと、第１の画像形成装置が端末装置からの遠隔操作が可能でない場合に、端末装置が、第１の画像形成装置とは異なる第２の画像形成装置に対して接続を要求するステップと、端末装置からの要求に応じて、第２の画像形成装置の操作画面を表示するための表示情報を、第２の画像形成装置から端末装置に転送するステップと、表示情報に基づいて端末装置に表示された操作画面に対するユーザー操作を表わす操作情報を、端末装置から第２の画像形成装置に転送するステップと、操作情報に基づいた処理を第２の画像形成装置で実行するステップとを備える。操作情報に基づいた処理が第１の画像形成装置におけるユーザーに関連付けられた印刷ジョブの処理である場合に、処理を第２の画像形成装置で実行するステップは、印刷ジョブを、第２の画像形成装置から第１の画像形成装置に転送することを含む。
【００１７】
他の実施の形態に従うと、制御プログラムは、画像形成装置に搭載されるコンピューターの制御プログラムである。この制御プログラムは、コンピューターに、画像形成装置の操作画面を表示するための表示情報を表示装置に転送するステップと、表示情報に基づいて表示装置に表示された操作画面に対する、ユーザーの操作を表わす操作情報の入力を受け付けるステップと、ユーザーに関連付けられている１つ以上の印刷ジョブにアクセスするステップと、ユーザーに関連付けられている印刷ジョブを特定するための情報を当該印刷ジョブから取得するステップと、特定するための情報を表示装置に表示するステップと、操作情報に基づいて、ユーザーに関連付けられている１つ以上の印刷ジョブから、処理対象とする印刷ジョブの指定を受け付けるステップと、処理対象として指定された印刷ジョブを処理する処理装置を特定するステップと、処理装置が画像形成装置とは異なる他の画像形成装置である場合に、他の画像形成装置に対して印刷ジョブを発行するステップとを実行させる。
【００１８】
他の実施の形態に従うと、制御プログラムは、画像形成装置と通信可能な端末装置の制御プログラムである。この制御プログラムは、端末装置に、ユーザーから、第１の画像形成装置に対する接続要求を受け付けるステップと、第１の画像形成装置が端末装置からの遠隔操作が可能であるか否かを判断するステップと、第１の画像形成装置が端末装置からの遠隔操作が可能でない場合に、第１の画像形成装置とは異なる第２の画像形成装置に対して接続を要求するステップと、端末装置からの要求に応じて、第２の画像形成装置から、第２の画像形成装置の操作画面を表示するための表示情報の入力を受け付けるステップと、表示情報に基づいて端末装置に表示された操作画面に対するユーザー操作を表わす操作情報を、第２の画像形成装置に転送するステップとを実行させる。
【発明の効果】
【００１９】
この開示によると、複数台の画像形成装置を含むシステムのユーザーの利便性を高めることができる。
【図面の簡単な説明】
【００２０】
【図１】実施の形態にかかる画像処理システム（以下、単にシステムと称する）の構成の一例を表わした図である。
【図２】システムに含まれる端末装置の装置構成の具体例を示すブロック図である。
【図３】システムに含まれるＭＦＰ（Multi-Functional  Peripheral）の装置構成の具体例を示すブロック図である。
【図４】システムの動作概要を表わした図である。
【図５】ＭＦＰの機能構成の一例を表わしたブロック図である。
【図６】端末装置の機能構成の一例を表わしたブロック図である。
【図７】端末装置の動作の流れの一例を表わすフローチャートである。
【図８】ＭＦＰの動作の流れの一例を表わすフローチャートである。
【発明を実施するための形態】
【００２１】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２２】
［第１の実施の形態］
＜システム構成＞
図１は、本実施の形態にかかる画像処理システム（以下、単にシステムと称する）の構成の一例を表わした図である。図１を参照して、本システムは、端末装置１００と、画像形成装置の一例であるＭＦＰ（Multi-Functional  Peripheral）３００Ａ，３００Ｂ，３００Ｃとを含む。複数台のＭＦＰ３００Ａ，３００Ｂ，３００Ｃを総称して、ＭＦＰ３００とも称する。
【００２３】
端末装置１００とＭＦＰ３００とは通信可能に接続されている。端末装置１００とＭＦＰ３００との間の通信は、赤外線通信などの無線通信であってもよいし、ＬＡＮ（Local  Area  Network）などのネットワークを介した通信であってもよい。
【００２４】
端末装置１００は、通信機能と表示機能と操作入力機能とを有する装置であればよい。端末装置１００は、たとえば、タブレットなどとも呼ばれる装置である。また、端末装置１００は、一般的なパーソナルコンピューター（ＰＣ）であってもよい。
【００２５】
＜装置構成＞
図２は、端末装置１００の装置構成の具体例を示すブロック図である。図２を参照して、端末装置１００は、装置全体を制御するためのＣＰＵ（Central  Processing  Unit）１０を含む。また、端末装置１００は、ＣＰＵ１０で実行されるプログラムやその他データを記憶するためＲＯＭ（Read  Only  Memory）１１と、ＣＰＵ１０でプログラムを実行する際の計算値を記憶したり作業領域になったりするためのＲＡＭ（Random  Access  Memory）１２とを含む。また、端末装置１００は、タッチパネル１３と、ネットワークコントローラー１４とを含む。ネットワークコントローラー１４は、端末装置１００とＭＦＰ３００との間の通信を制御する。
【００２６】
図３は、ＭＦＰ３００の装置構成の具体例を示すブロック図である。図３を参照して、ＭＦＰ３００は、装置全体を制御するためのＣＰＵ３０を含む。また、ＭＦＰ３００は、ＣＰＵ３０で実行されるプログラムを記憶するためのＲＯＭ３１と、ＣＰＵ３０でプログラムを実行する際の作業領域になるＲＡＭ３２と、画像データなどを記憶するためのＨＤＤ（Hard  Disk  Drive）３３とを含む。また、ＭＦＰ３００は、画像形成機構の一例として、プリンター３４およびスキャナー３５を含む。また、ＭＦＰ３００は、操作パネル３６と、ネットワークコントローラー３７とを含む。ネットワークコントローラー３７は、ＭＦＰ３００と端末装置１００との間の通信を制御する。
【００２７】
＜動作概要＞
ユーザーは、ＰＣなどの処理装置（図示しない）を用いて印刷ジョブを本システムに対して発行する。印刷ジョブは、当該ユーザーに対して予め対応付けられているいずれかのＭＦＰや、発行時に割り当てられたＭＦＰ、または、サーバーなどの他の装置（図示しない）に格納される。ユーザーの発行したジョブを格納しているＭＦＰを、ストレージＭＦＰとも称する。
【００２８】
その後、ユーザーは、いずれかのＭＦＰにログインする。ユーザーのログインしたＭＦＰを、ログインＭＦＰとも称する。ログインＭＦＰは、システム内の各ＭＦＰに、ログインユーザーに関連付けられたジョブの有無を問い合わせ、ジョブ情報を取得する。すなわち、ログインＭＦＰは、システム内の、ログインユーザーに関連付けられた１つ以上のジョブにアクセスし、当該ジョブからジョブ情報を取得する。ジョブ情報は、たとえばジョブ名やジョブの作成日時などの、当該ジョブを特定するための情報である。
【００２９】
ログインＭＦＰは、ログインユーザーに対して、本システム内のいずれかのＭＦＰに格納されている、当該ユーザーに関連付けられた１つ以上のジョブについてのジョブ情報を、選択可能に提示する。ユーザーは、選択画面の中から、印刷対象とするジョブを選択する。ジョブの選択は、ジョブ情報に対応付けられた選択肢を選択する方法でなされてもよいし、ジョブ名などのジョブ情報を入力する方法でなされてもよい。
【００３０】
ログインＭＦＰは、選択されたジョブを格納しているＭＦＰから取得し、印刷処理を実行する。
【００３１】
これにより、本システムでは、ユーザーは、どの装置に当該ユーザーの発行したジョブが格納されているかを意識することなく、システム内のいずれのＭＦＰにログインしても指定したジョブの印刷を実行することができる。
【００３２】
端末装置１００は、いわゆるリモートパネルと呼ばれる機能を実現するためのアプリケーションを搭載している。端末装置１００は、該アプリケーションを実行し、ユーザーから、ログイン先のＭＦＰの指定を受け付ける。そして、端末装置１００は、指定されたＭＦＰ３００にアクセスして操作画面を表示するための情報を得て、タッチパネル１３に指定されたＭＦＰ３００の操作画面を表示する。端末装置１００は、該操作画面に対するユーザー操作（タッチ）を受け付けると、操作位置を表わす情報を指定されたＭＦＰ３００に対して送信する。ＭＦＰ３００は、端末装置１００から上記情報を受け付けると、上記情報に基づいて操作内容を特定し、該操作に従う処理を実行する。
【００３３】
これにより、端末装置１００のユーザーは、端末装置１００を用いて指定したＭＦＰ３００を遠隔操作することができる。
【００３４】
ユーザーは、ログインしようとするＭＦＰ３００に対して、端末装置１００を利用してアクセスを要求することができる。ユーザーは、端末装置１００でＭＦＰ３００にアクセスすることで、ＭＦＰ３００を遠隔操作でログインＭＦＰとすることができる。
【００３５】
ところが、ログインＭＦＰに指定したＭＦＰ３００が、端末装置１００で遠隔操作ができない場合がある。たとえば、指定されたＭＦＰ３００がユーザー認証機能を有さなかったり、他の装置からジョブを読み出す機能を有さなかったりするような低機能の機種であった場合には、当該ＭＦＰを端末装置１００を利用した遠隔操作でログインＭＦＰとすることができない。また、指定されたＭＦＰ３００が他の画像形成処理を行なっているなど負荷が高い状態である場合にも、さらなる処理ができず、ログインＭＦＰとすることができない場合がある。
【００３６】
本システムでは、このような場合に、端末装置１００が、指定されたＭＦＰ３００に代わる他のＭＦＰに対して接続を要求し、以降の処理を行なわせる。指定されたＭＦＰ３００に代わる他のＭＦＰを、以降の説明では、代替ＭＦＰとも称する。
【００３７】
図４は、本システムの動作概要を表わした図である。図４を参照して、端末装置１００は、ユーザー操作に従ってリモートパネル用のアプリケーションを起動し、ユーザーから、ログインＭＦＰとするＭＦＰの指定を受け付ける（ステップＳ１）。図４の例では、端末装置１００は、ＭＦＰ３００Ｂの指定を受け付けたとする。
【００３８】
端末装置１００は、指定されたＭＦＰ３００Ｂに接続を要求する（ステップＳ２）。一例として、端末装置１００は、ＭＦＰ３００Ｂに接続を要求する際に、ログインＭＦＰとしての機能に関する情報を要求する。端末装置１００は、該ＭＦＰ３００Ｂから装置情報を取得する（ステップＳ３）。ＭＦＰ３００Ｂから受け取る装置情報は、たとえば、上記要求に応じた、ログインＭＦＰとしての機能に関する情報である。または、ＭＦＰ３００Ｂから受け取る装置情報は、ＭＦＰ３００Ｂの処理状況を表わした情報であってもよい。
【００３９】
端末装置１００は、ＭＦＰ３００Ｂからの情報に基づいて、指定されたＭＦＰ３００ＢがログインＭＦＰとして遠隔操作が可能か否かを判断する（ステップＳ４）。端末装置１００は、指定されたＭＦＰ３００ＢがログインＭＦＰとして遠隔操作が可能でないと判断すると、指定されたＭＦＰ３００Ｂとは異なる他のＭＦＰに接続を要求する（ステップＳ５）。図４の例では、端末装置１００は、ＭＦＰ３００Ｂとは異なる他のＭＦＰとして、ＭＦＰ３００Ａに接続を要求するものとする。他のＭＦＰは、端末装置１００が予め記憶しているＭＦＰであってもよい。または、指定されたＭＦＰ３００ＢがログインＭＦＰとして遠隔操作が可能でないと判断されたときに、端末装置１００が遠隔操作が可能な装置を検出してもよい。
【００４０】
端末装置１００は、他のＭＦＰであるＭＦＰ３００Ａに接続を要求するときに、指定されたＭＦＰ３００Ｂを示す情報を、上記要求と共にＭＦＰ３００Ａに渡す。
【００４１】
接続要求を受けたＭＦＰ３００Ａは、リモートパネル用のアプリケーションを起動するなど、リモート接続のための処理を行なう（ステップＳ６）。そして、ＭＦＰ３００Ａは、端末装置１００に対してログイン画面を表示するための表示情報を転送する（ステップＳ７）。ＭＦＰ３００Ａから上記情報を受信した端末装置１００は、タッチパネル１３にログイン画面を表示する（ステップＳ８）。
【００４２】
表示されたログイン画面に対して、ユーザーからログイン操作を受け付けると（ステップＳ９）、端末装置１００は、操作位置を表わす情報である操作情報をＭＦＰ３００Ａに転送する（ステップＳ１０）。操作情報は、たとえば、操作画面上のタッチ位置を表わした座標である。
【００４３】
ＭＦＰ３００Ａは、端末装置１００からの操作情報から操作内容を特定する。つまり、ＭＦＰ３００Ａは、ユーザーがログイン画面で入力したログイン情報を特定する。そして、ＭＦＰ３００Ａは、そのログイン情報を用いてユーザー認証を行なう（ステップＳ１１）。認証成功の場合、ＭＦＰ３００Ａは、本システム上に当該ユーザーに関連付けて記憶されている１つ以上のジョブにアクセスし、当該ジョブのジョブ情報を当該ジョブから取得する（ステップＳ１２）。ＭＦＰ３００Ａは、ログインユーザーに関連付けられているジョブを一覧表示し、その中から印刷するジョブを選択可能に提示するための選択画面を生成する。そして、ＭＦＰ３００Ａは、その選択画面を表示するための表示情報を、端末装置１００に転送する（ステップＳ１３）。
【００４４】
表示情報を受信した端末装置１００は、当該情報に基づいて選択画面をタッチパネル１３に表示する（ステップＳ１４）。タッチパネル１３に表示された選択画面でジョブを選択するユーザー操作を受け付けると（ステップＳ１５）、端末装置１００は、ユーザー操作を表わした操作情報をＭＦＰ３００Ａに転送する（ステップＳ１６）。
【００４５】
ＭＦＰ３００Ａは、端末装置１００からの操作情報から操作内容を特定する。つまり、ＭＦＰ３００Ａは、選択されたジョブを特定する。そして、ＭＦＰ３００Ａは、選択されたジョブを、当該ジョブを記憶している装置から取得する（ステップＳ１７）。
【００４６】
上記のように、端末装置１００からの接続要求には、端末装置１００がユーザーから接続先として指定されたＭＦＰ３００Ｂを示す情報が含まれている。そこで、ＭＦＰ３００Ａは、接続要求を受け取った時点で以降の動作がＭＦＰ３００Ｂの代行であると判断することができる。または、ＭＦＰ３００Ａは、制御信号の入力元が端末装置１００である場合には他のＭＦＰの代行であると判断し、操作パネル３６である場合には指定されたＭＦＰがＭＦＰ３００Ａであると判断してもよい。または、ＭＦＰ３００Ａは、制御信号が入力された際に、スキャナー３５に原稿がセットされていた場合には指定されたＭＦＰがＭＦＰ３００Ａであると判断し、そうでない場合には他のＭＦＰの代行であると判断してもよい。
【００４７】
ユーザーが指定したＭＦＰがＭＦＰ３００Ｂである場合、ＭＦＰ３００Ａは、上記ステップＳ１７で取得したジョブを、ＭＦＰ３００Ｂに転送する（ステップＳ１８）。このとき、ＭＦＰ３００Ａは、当該ジョブの印刷に必要な処理をジョブに施した上で、ＭＦＰ３００Ｂに転送してもよい。なお、ジョブの転送は、ＭＦＰ３００ＡからＭＦＰ３００Ｂに直接行なわれなくてもよい。すなわち、いったん、ＭＦＰ３００Ａが端末装置１００に転送し、端末装置１００がＭＦＰ３００Ｂに転送してもよい。
【００４８】
ジョブを受け付けたＭＦＰ３００Ｂは、当該ジョブを印刷する（ステップＳ１９）。
＜機能構成＞
図５は、上記動作を行なうためのＭＦＰ３００の機能構成の一例を表わしたブロック図である。図５の各機能は、ＭＦＰ３００のＣＰＵ３０がＲＯＭ３１に記憶されているプログラムをＲＡＭ３２上に読み出して実行することで、主に、ＣＰＵ３０で実現される。しかしながら、一部機能が、図３に表わされたハードウェア、または電気回路（図示しない）などの他のハードウェアによって実現されてもよい。
【００４９】
図５を参照して、ＭＦＰ３００のＣＰＵ３０は、端末装置１００からの操作情報の入力を受け付けるための入力部３０１を含む。また、ＣＰＵ３０は、操作情報がログイン情報であった場合に、当該情報を用いてユーザー認証を行なうための認証部３０２を含む。また、ＣＰＵ３０は、ユーザー認証が成功であった場合に、当該ユーザーに関連付けられたジョブのジョブ情報やジョブを取得するための取得部３０３と、当該ジョブ情報を提示するための提示部３０４とを含む。
【００５０】
また、ＣＰＵ３０は、表示処理部３０５を含む。表示処理部３０５は、操作画面を表示させるための情報である画面情報を生成し、表示装置に操作画面を表示させる処理を行なう。表示装置がＭＦＰ３００の操作パネル３６である場合、表示処理部３０５は、操作パネル３６の表示を制御する。表示処理部３０５は、転送部３０６を含む。表示装置が端末装置１００のタッチパネル１３である場合、転送部３０６は、画面情報を端末装置１００に転送する。
【００５１】
また、ＣＰＵ３０は、操作情報から指示された処理を特定するための処理特定部３０７と、指示された処理を実行するための処理部３０８とを含む。処理部３０８は、指示された処理として、指定されたジョブの印刷、送信、および複写、などの処理を実行する。
【００５２】
処理部３０８の実行する処理がジョブの印刷であるときの処理部３０８の機能として、処理部３０８は、指定部３０９、装置特定部３１０、およびジョブ処理部３１１を含む。指定部３０９は、印刷するジョブの指定を受け付ける。装置特定部３１０は、ジョブの印刷を実行する装置を特定する。端末装置１００からの接続要求に、端末装置１００がユーザーから接続先として指定されたＭＦＰとして他のＭＦＰを示す情報が含まれている場合、装置特定部３１０は、当該接続要求から、ジョブの印刷を実行する装置を上記他のＭＦＰと特定する。
【００５３】
ジョブ処理部３１１は、ＭＦＰ３００でジョブを印刷する場合に、処理を制御する。ジョブ処理部３１１は、ジョブを発行するための発行部３１２を含む。ジョブの印刷を実行する装置が他のＭＦＰである場合、発行部３１２は、当該他のＭＦＰにジョブを発行する。
【００５４】
図６は、上記動作を行なうための端末装置１００の機能構成の一例を表わしたブロック図である。図６の各機能は、端末装置１００のＣＰＵ１０がＲＯＭ１１に記憶されているプログラムをＲＡＭ１２上に読み出して実行することで、主に、ＣＰＵ１０で実現される。しかしながら、一部機能が、図２に表わされたハードウェア、または電気回路（図示しない）などの他のハードウェアによって実現されてもよい。
【００５５】
図６を参照して、端末装置１００のＣＰＵ１０は、タッチパネル１３に対するユーザー操作を表わす指示入力を受け付けるための指示入力部１０１を含む。指示入力部１０１は、端末装置１００を用いた遠隔操作の対象とするＭＦＰの指定を受け付けるための指定部１０２を含む。
【００５６】
さらに、ＣＰＵ１０は、要求部１０３と、転送部１０４と、判断部１０５と、画面入力部１０６と、表示処理部１０７とを含む。判断部１０５は、接続を要求するＭＦＰとして指定されたＭＦＰが端末装置１００で遠隔操作可能であるか否かを、指定されたＭＦＰの機能と処理状況との少なくとも一方に基づいて判断する。判断部１０５で、接続を要求するＭＦＰとして指定されたＭＦＰが遠隔操作が可能と判断された場合、要求部１０３は、指定されたＭＦＰ３００に接続を要求する。判断部１０５で、接続を要求するＭＦＰとして指定されたＭＦＰが遠隔操作が可能でないと判断された場合、要求部１０３は、予め記憶している他のＭＦＰ３００に接続を要求する。
【００５７】
画面入力部１０６は、接続を要求したＭＦＰ３００から画面情報の入力を受け付ける。表示処理部１０７は、該画面情報に基づいて、接続を要求したＭＦＰ３００の操作画面をタッチパネル１３に表示する。
【００５８】
＜動作フロー＞
図７は、端末装置１００の動作の流れの一例を表わすフローチャートである。図７のフローチャートに表わされた動作は、端末装置１００のＣＰＵ１０がＲＯＭ１１に記憶されているプログラムをＲＡＭ１２上に読み出して実行し、図６の各機能を実現する処理を実行することによって実現される。
【００５９】
図７を参照して、ＣＰＵ１０は、ユーザーからログインを希望するＭＦＰの指定を受け付けると（ステップＳ１０１でＹＥＳ）、指定されたＭＦＰが遠隔操作が可能であるか否かを判断する。指定されたＭＦＰ３００が遠隔操作が可能でないものであった場合（ステップＳ１０３でＮＯ）、ＣＰＵ１０は、代替ＭＦＰとして予め記憶している他のＭＦＰに対して接続を要求する（ステップＳ１０５）。
【００６０】
ＣＰＵ１０は、代替ＭＦＰから操作画面を表示するための情報である画面情報を受信すると（ステップＳ１０７でＹＥＳ）、画面情報に基づいて、代替ＭＦＰの操作画面をタッチパネル１３に表示する（ステップＳ１０９）。そして、タッチパネル１３に表示された操作画面に対するユーザー操作を受け付けると（ステップＳ１１１でＹＥＳ）、ＣＰＵ１０は、ユーザー操作を表わす操作情報を代替ＭＦＰに転送する（ステップＳ１１３）。ＣＰＵ１０は、以上の動作を、上記ユーザー操作に従う処理が終了するまで繰り返す（ステップＳ１１５でＹＥＳ）。
【００６１】
一方、指定されたＭＦＰ３００が遠隔操作が可能なものであった場合（ステップＳ１０３でＹＥＳ）、ＣＰＵ１０は、指定されたＭＦＰに対して接続を要求する（ステップＳ１１７）。
【００６２】
この場合、ＣＰＵ１０は、指定されたＭＦＰから操作画面を表示するための情報である画面情報を受信すると（ステップＳ１１９でＹＥＳ）、画面情報に基づいて、指定されたＭＦＰの操作画面をタッチパネル１３に表示する（ステップＳ１２１）。そして、タッチパネル１３に表示された操作画面に対するユーザー操作を受け付けると（ステップＳ１２３でＹＥＳ）、ＣＰＵ１０は、ユーザー操作を表わす操作情報を指定されたＭＦＰに転送する（ステップＳ１２５）。ＣＰＵ１０は、以上の動作を、上記ユーザー操作に従う処理が終了するまで繰り返す（ステップＳ１２７でＹＥＳ）。
【００６３】
なお、図７に表わされた動作では、ステップＳ１０７〜Ｓ１１５の動作と、ステップＳ１１７〜Ｓ１２７の動作とが、接続先のＭＦＰが指定されたＭＦＰであるか代替ＭＦＰであるかの違いはあるものの、同じ動作となっている。しかしながら、上記ステップＳ１０９では、代替ＭＦＰでの動作であることが分かるように、ＭＦＰ３００が指定されたＭＦＰである場合の操作画面とは異なる態様で操作画面を表示してもよい。
【００６４】
図８は、ＭＦＰ３００の動作の流れの一例を表わすフローチャートである。図８のフローチャートに表わされた動作は、ＭＦＰ３００のＣＰＵ３０がＲＯＭ３１に記憶されているプログラムをＲＡＭ３２上に読み出して実行し、図５の各機能を実現する処理を実行することによって実現される。
【００６５】
図８を参照して、ＭＦＰ３００のＣＰＵ３０は、端末装置１００から接続要求を受け付けると（ステップＳ２０１でＹＥＳ）、端末装置１００に対してログイン画面を表示するための画面情報を送信する（ステップＳ２０３）。端末装置１００から、ログイン情報を表わす操作情報を受信すると（ステップＳ２０５でＹＥＳ）、ＣＰＵ３０は、該ログイン情報を用いてユーザー認証を行なう（ステップＳ２０７）。
【００６６】
ユーザー認証が成功の場合（ステップＳ２０９でＹＥＳ）、ＣＰＵ３０は、本システムのいずれかの装置、または本システムからアクセス可能な記憶装置にログインユーザーに関連付けられて記憶されているジョブにアクセスし、当該ジョブのジョブ情報を取得する（ステップＳ２１１）。そして、ＣＰＵ３０は、当該ジョブ情報を選択可能に提示して、ユーザーから印刷対象とするジョブの選択を受け付けるための選択画面の画面情報を、端末装置１００に送信する（ステップＳ２１３）。
【００６７】
ＣＰＵ３０は、端末装置１００から選択結果を表わす操作情報を受信すると（ステップＳ２１５でＹＥＳ）、選択されたジョブを、当該ジョブを記憶する装置から取得する（ステップＳ２１７）。
【００６８】
ジョブを処理するにあたって、ＣＰＵ３０は、当該ジョブの印刷先がＭＦＰ３００であるか他のＭＦＰであるかによって処理を分岐する。ジョブの印刷先が自機（ＭＦＰ３００）であるか他のＭＦＰであるかは、たとえば、上記ステップＳ２０１で端末装置１００から受け付けた接続要求に含まれている情報を参照して判断することができる。すなわち、上記要求には、端末装置１００に対してユーザーがログイン先として指定したＭＦＰ、つまり印刷先となるＭＦＰを特定する情報が含まれている。
【００６９】
印刷先が自機（ＭＦＰ３００）である場合（ステップＳ２１９でＹＥＳ）、ＣＰＵ３０は、取得したジョブを印刷する（ステップＳ２２１）。印刷先が他のＭＦＰである場合（ステップＳ２１９でＮＯ）、ＣＰＵ３０は、印刷先であるＭＦＰに対してジョブを転送する（ステップＳ２２３）。
【００７０】
＜実施の形態の効果＞
第１の実施の形態にかかるシステムで以上の動作が行なわれることで、ユーザーは、ジョブを印刷させようとして端末装置１００を用いて接続を要求したＭＦＰが、機能が不足したり処理過多であったりして端末装置１００で遠隔操作ができない装置であった場合であっても、あたかも当該ＭＦＰを端末装置１００を用いて遠隔しているかのような操作で、指定したＭＦＰに指定したジョブを印刷させることができる。これにより、本システムのユーザーの利便性を高めることができる。
【００７１】
［第２の実施の形態］
第１の実施の形態では、端末装置１００のユーザーが、始めに遠隔操作を行なうＭＦＰを指定するものとしている。それにより、最初に、指定されたＭＦＰが遠隔操作可能であるか否かによって、端末装置１００が接続を要求するＭＦＰが分岐される。動作の順は上記した順に限定されない。第２の実施の形態にかかるシステムでは、端末装置１００のユーザーが、始めに、処理対象とするジョブを選択するものとする。第２の実施の形態にかかるシステムに含まれる各装置は、第１の実施の形態にかかるシステムに含まれる各装置と同じであるため、装置構成の説明を繰り返さない。
【００７２】
第２の実施の形態にかかるシステムでは、図５のステップＳ１〜Ｓ４に表わされた動作が行なわれない。すなわち、端末装置１００のＣＰＵ１０は、リモートパネル用のアプリケーションを起動すると、予め記憶しているＭＦＰ３００Ａに接続を要求してログイン画面を表示するための表示情報を得る。予め記憶されているＭＦＰ３００Ａは、たとえば、当該ユーザーが最も高い頻度で使用するＭＦＰや、現在位置から最も近いＭＦＰなどである。そして、ＣＰＵ１０は、ＭＦＰ３００Ａのログイン画面をタッチパネル１３に表示する。
【００７３】
ユーザーは、表示されたログイン画面を用いてログイン情報を入力し、その後に表示される選択画面から印刷するジョブを選択する。そして、引き続いてユーザーは、当該ジョブを印刷するＭＦＰを選択する。このため、ＭＦＰ３００Ａは、ログインユーザーに関連付けられたジョブのジョブ情報を選択可能に提示する選択画面に、さらに、当該ジョブの印刷先を選択するために、本システムに含まれる各ＭＦＰを選択可能に提示する。
【００７４】
ＭＦＰ３００ＡのＣＰＵ３０は、ジョブの印刷先としてＭＦＰ３００Ａとは異なるＭＦＰが指定されていた場合に、指定されたジョブを指定されたＭＦＰに転送する。
【００７５】
なお、指定されたジョブに、予め印刷先とするＭＦＰが関連付けられていてもよい。または、ジョブごとでなく、ジョブの種類ごとに、印刷先とするＭＦＰが関連付けられていてもよい。ＭＦＰ３００Ａは、ジョブの指定を受け付けると当該ジョブから印刷先とするＭＦＰを特定することができる。そして、印刷先がＭＦＰ３００Ａでない場合には、当該ジョブを他のＭＦＰに転送する。
【００７６】
第２の実施の形態にかかるシステムで以上の動作が行なわれることで、ユーザーは、ログインするＭＦＰを意識することなく、システム内の任意のＭＦＰで指定したジョブを印刷させることができる。これにより、本システムのユーザーの利便性を高めることができる。
【００７７】
［第３の実施の形態］
画像処理システムに複数台の端末装置が含まれてもよい。または、端末装置１００の遠隔操作と、ＭＦＰ３００の操作パネル３６による操作とが混在してもよい。そこで、第３の実施の形態として、１台のＭＦＰ３００に複数の接続要求があった場合について説明する。第３の実施の形態では、第１の実施の形態にかかるシステムおよび第２の実施の形態にかかるシステムを用いて説明する。
【００７８】
上記したように、ユーザーが指定したＭＦＰ３００Ｂが端末装置１００で遠隔操作が可能でない装置であった場合、端末装置１００はＭＦＰ３００Ａに接続を要求する。一方、ＭＦＰ３００Ａには、他の端末装置１００から接続が要求されていてもよい。さらに、ＭＦＰ３００Ａは、操作パネル３６がユーザーによって操作されていてもよい。
【００７９】
この場合、好ましくは、ＭＦＰ３００Ａは、端末装置１００の遠隔操作に従う処理に並行して、操作パネル３６の操作に従う処理を実行する。つまり、ＭＦＰ３００Ａは、端末装置１００から遠隔操作が行なわれている場合であっても、操作パネル３６の操作に従う処理を実行する。このような処理を実現するため、ＭＦＰ３００Ａには、端末装置１００の遠隔操作に従う処理を実行するためのＣＰＵ３０とは別に、操作パネル３６の操作に従う処理を実行するためのＣＰＵ（図示しない）やメモリーが搭載され、それぞれ独立して処理を行なうようにしてもよい。
【００８０】
他の例として、好ましくは、ＭＦＰ３００Ａは、複数の接続要求に対して優先順位を付与し、優先順位の高い順に処理を行なう。一例として、ＭＦＰ３００Ａは、操作パネル３６の操作に従う処理の優先順位を最も高くする。次いで、ＭＦＰ３００Ａは、ＭＦＰ３００Ａを指定した端末装置１００の遠隔操作に従う処理の優先順位を高くする。そして、ＭＦＰ３００Ａは、他のＭＦＰを指定した端末装置１００の遠隔操作に従う処理の優先順位を最も低くする。
【００８１】
ＣＰＵ３０は、印刷先が自機である処理と印刷先が他のＭＦＰである代替の処理とのそれぞれについて、同時に実行可能な数を予め記憶しておき、上記の優先順位に従って実行可能な数までの処理を実行する。
【００８２】
第３の実施の形態にかかるシステムで以上の動作が行なわれることで、本システムに含まれるＭＦＰ３００のうちのいずれかのＭＦＰに処理が集中し、処理が過多となることを抑えることができる。
【００８３】
［第４の実施の形態］
さらに、上述の処理を端末装置１００のＣＰＵ１０やＭＦＰ３００のＣＰＵ３０に実行させるためのプログラムを提供することもできる。このようなプログラムを提供することで、いわゆるタブレットと呼ばれる汎用の端末装置を端末装置１００として機能させることができる。また、既存のＭＦＰを用いて容易に本システムを構築することができる。
【００８４】
このようなプログラムは、コンピューターに付属するフレキシブルディスク、ＣＤ−ＲＯＭ（Compact  Disk-Read  Only  Memory）、ＲＯＭ、ＲＡＭおよびメモリカードなどのコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【００８５】
なお、本開示にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００８６】
また、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００８７】
提供されるプログラム製品は、ハードディスクなどのプログラム格納部にインストールされて実行される。なお、プログラム製品は、プログラム自体と、プログラムが記録された記録媒体とを含む。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１０，３０  ＣＰＵ、１１，３１  ＲＯＭ、１２，３２  ＲＡＭ、１３  タッチパネル、１４，３７  ネットワークコントローラー、３４  プリンター、３５  スキャナー、３６  操作パネル、１００  端末装置、１０１  指示入力部、１０２，３０９  指定部、１０３  要求部、１０４，３０６  転送部、１０５  判断部、１０６  画面入力部、１０７，３０５  表示処理部、３００，３００Ａ，３００Ｂ，３００Ｃ  ＭＦＰ、３０１  入力部、３０２  認証部、３０３  取得部、３０４  提示部、３０７  処理特定部、３０８  処理部、３１０  装置特定部、３１１  ジョブ処理部、３１２  発行部。
【図１】
2016091197.tif 000003
【図２】
2016091197.tif 000004
【図３】
2016091197.tif 000005
【図４】
2016091197.tif 000006
【図５】
2016091197.tif 000007
【図６】
2016091197.tif 000008
【図７】
2016091197.tif 000009
【図８】
2016091197.tif 000010